(57)【要約】      （修正有）【課題】コンパクトで携帯性に優れると共に、自由に複数の月に跨って眺めたり書き込んだりすることが容易な携帯型カレンダーを提供する。【解決手段】長方形の紙の長い辺を４等分し、短い辺を２等分する。表面側の８個の領域のうちの６個の領域に１月から６月を印刷し、裏面側の８個の領域のうちの６の領域に７月から１２月を印刷する。該長方形の紙を長い辺の中央の区分線で該表面側から見て山折りにし、更に同じ方向に山折りにし、続けて短い辺の中央の区分線で山折りにすることで八折りの状態とした携帯型カレンダーとする。【選択図】図１
2020059269.tif 000002
【特許請求の範囲】
【請求項１】
長方形の紙の長い辺を４等分し、短い辺を２等分するようにして、前記長方形の紙を八つ折りにし、折り目によって等分された各領域夫々に、一年間の１２の月の各月が印刷された携帯型カレンダーであって、
前記長方形の紙の表側に、１月から６月までが印刷され、前記長方形の紙の裏側に、７月から１２月までが印刷されている携帯型カレンダー。
【請求項２】
前記長方形の紙の表側には更に前年の１２月が印刷され、前記長方形の紙の裏側には更に次の年の１月が印刷されていることを特徴とする請求項１に記載の携帯型カレンダー。
【発明の詳細な説明】
【技術分野】
【０００１】
本発明は、ユーザーが、月を跨いで、自在に予定やメモを記入したり一覧できる携帯型カレンダーおよびユーザーが、複数のページに亘って関連性のある事項を容易に且つ効果的に記載できるノートに関する。
【背景技術】
【０００２】
カレンダーには、日付のほか曜日や祝祭日などが表示される。日本で売られているものは、普通、国民の祝日が、またしばしば六曜が記されている。更に、月齢や月の満ち欠けも表示するものも存在する（特許文献１）。
【０００３】
形態としては、自動的に日付が表示される電子式の電子カレンダーもあるが、通常用いられているものは、日めくりや月めくり、週めくりといった紙製の冊子のものが多い。実際、カレンダーの用途の一つとしては、予定表やメモ帳代わりというものがあり、自由に書き込めるということが重要となっている。
【先行技術文献】
【特許文献】
【０００４】
【特許文献１】特許５０２０４１７号公報
【発明の概要】
【発明が解決しようとする課題】
【０００５】
予定表やメモ帳代わりにカレンダーを利用する場合、その携帯性が重要となる。１年分を１枚にしたポスター形式のカレンダーもあるが、携帯して用いるには適さない。また、一月をカード型としたものもあるが、全てを持ち歩くにはバラバラになり不便である。更に、手帳などに備えられたカレンダーは、携帯性は良いものの、月に跨って眺めて書き込んだりするのには適さない。
【０００６】
そこで、本発明の目的は、コンパクトで携帯性に優れると共に、自由に複数の月に跨って眺めたり書き込んだりすることが容易な携帯型カレンダーを提供することである。
【課題を解決するための手段】
【０００７】
上記課題を解決するために、本発明の１つの様相による携帯型カレンダーは、長方形の紙の長い辺を４等分し、短い辺を２等分するようにして、前記長方形の紙を八つ折りにし、折り目によって等分された各領域夫々に、一年間の１２の月の各月が印刷された携帯型カレンダーであって、前記長方形の紙の表側に、１月から６月までが印刷され、前記長方形の紙の裏側に、７月から１２月までが印刷されていることを特徴とする。
【０００８】
また、一つの実施例では、前記長方形の紙の表側には更に前年の１２月が印刷され、前記長方形の紙の裏側には更に次の年の１月が印刷されていることを特徴とする。
【発明の効果】
【０００９】
本発明に係わる携帯型カレンダーによれば、コンパクトで携帯性に優れると共に、自由に複数の月に跨って眺めたり書き込んだりすることが容易となっている。
【図面の簡単な説明】
【００１０】
【図１】図１は、本発明の実施例１に係る携帯型カレンダー１を示す斜視図である。
【図２】図２は、本発明の実施例１に係る携帯型カレンダー１の展開図であり、表側に印刷された１月から６月分の暦が示されている。
【図３】図３は、本発明の実施例１に係る携帯型カレンダー１の展開図であり、裏側に印刷された７月から１２月分の暦が示されている。
【図４】図４は、本発明の実施例１に係る携帯型カレンダー１を、一度開いて見開きに見た図である。
【図５】図５は、本発明の実施例１に係る携帯型カレンダー１を、更に開いて１月、２月、３月（および前年の１２月）を一覧した状態を示す図である。
【図６】図６は、本発明の実施例２に係る携帯型カレンダー１の展開図であり、表側に印刷された１月から６月分の暦が示されている。
【図７】図７は、本発明の実施例２に係る携帯型カレンダー１の展開図であり、裏側に印刷された７月から１２月分の暦が示されている。
【図８】図８は、本発明の実施例３に係る携帯型カレンダー１の展開図であり、表側に印刷された１月から６月分の暦が示されている。
【図９】図９は、本発明の実施例３に係る携帯型カレンダー１の展開図であり、裏側に印刷された７月から１２月分の暦が示されている。
【図１０】図１０は、本発明の実施例３に係る携帯型カレンダー１の一月分を見開きに見た状態を示す斜視図である。
【図１１】図１１は、本発明の実施例４に係る携帯型カレンダー１の展開図であり、表側に印刷された１月から６月分の暦が示されている。
【図１２】図１２は、本発明の実施例４に係る携帯型カレンダー１の展開図であり、裏側に印刷された７月から１２月分の暦が示されている。
【図１３】図１３は、本発明の実施例５に係る携帯型カレンダー１の展開図であり、表側に印刷された１月から６月分の暦が示されている。
【図１４】図１４は、本発明の実施例５に係る携帯型カレンダー１の展開図であり、裏側に印刷された７月から１２月分の暦が示されている。
【発明を実施するための形態】
【００１１】
以下、添付図面を参照しながら、本発明による携帯型カレンダーの実施例を説明する。なお、以下の実施例では、白黒図面を参照するが、実際の携帯型カレンダーは、カラーとなっている。具体的には、日曜日を示す「Ｓｕｎ」や、日曜日に当たる日付（数字）は赤であり、土曜日を示す「Ｓａｔ」や、土曜日に当たる日付（数字）は青となっている。その他の日付（数字）は黒である。もちろん、これは一例であり、全体が白黒でもよく、別の色付けであっても良い。また、下記携帯型カレンダーの実施例では、完全な展開状態において、Ａ２版の大きさとなっているが、本発明はこれに限定されるものではない。例えば、完全な展開状態において、Ａ１版、Ｂ２版、Ａ３版といった大きさとしても良い。
【実施例１】
【００１２】
図１は、本発明の実施例１に係る携帯型カレンダー１を示す斜視図である。この携帯型カレンダー１は、暦の印刷されたＡ２版の上質紙を八つ折りにしたものである。また、図２および図３は、携帯型カレンダー１の展開図であり、互いに裏表の関係にある。図２および図３に示したように、この携帯型カレンダーは、展開した状態で、半年分の暦を一覧できる。すなわち、表側に１月から６月が、裏側に７月から１２月の暦が印刷されている。
【００１３】
この携帯型カレンダー１の表側の左上には、更に前年の１２月が印刷され、残りの右下にはメモ用のスペースが印刷されている。また、この携帯型カレンダー１の裏側の右下には、更に次の年の１月が印刷され、左の上から２番めにはメモ用のスペースが印刷されている。
【００１４】
図２および図３の展開図において、点線が山折り、破線が谷折りを示している。実際の製品では、これらの点線や破線は印刷されていない。図２および図３に示したように完全に開いた状態から、図１に示したような八つ折りの状態にするには、まず、点線ｄ１を山折りにして、二つ折りの状態とする。次に、二つ折りの状態で、点線ｄ２を山折りにし、同時に破線ｂ１を谷折りにすることで、四つ折りの状態とする。それから、四つ折りの状態で、点線ｄ２、ｄ３を山折りにし、同時に破線ｂ２、ｂ３を谷折りにすることで、八つ折りの状態とする。
【００１５】
図１に示したような一月分が表示された状態（八つ折りに小さく畳まれた状態）で、製品として販売されている。この状態では、表に１月と裏に前年の１２月が表示されている。そこから、一度開くと、見開きに２月と３月が表示されている（図４）。更に開くと、１月、２月、３月（および前年の１２月）を一覧できる（図５）。完全にＡ２版の状態まで開くと、半年分の暦を一覧できる。
【００１６】
図２および図３に示したような山折り、谷折りの折り線は初期状態の畳み方に対応しており、使用するにあたっては、適時、どのような折り方をしても構わない。自由に折って、必要な月々が表にくるようにして使用する。従って、複数の月の暦を一覧できるし、月を跨るような書き込みも可能である。
【００１７】
使い終わった携帯型カレンダーに書き込んだ予定やメモ書きを、後々の確認のため等に保存しておきたいことがある。そのような場合、携帯型カレンダーそのものを保存しておいてもよいが、やはりデジタルデータとしておくと取扱いが格段に便利である。
【００１８】
従来の携帯型カレンダーでは、ひと月ごとにスキャンや撮影をして保存しておくことになる。この場合、一年分でスキャンや撮影を１２回繰り返し、その都度、名前をつけて保存することになる。これは甚だ手間がかかり面倒である。本発明の携帯型カレンダー１では、スマートフォン用のユーティリティ・プログラムが利用して、これを一手間で行う。以下、このユーティリティ・プログラムについて説明を行う。
【００１９】
近年のスマートフォンには、2000万画素を越えるような解像度を持つカメラを備えたものも多く存在する。このようなカメラで撮影した画像は、拡大しても細部まで鮮明に表示される。従って、携帯型カレンダー１を完全にＡ２版の状態まで開いて全体を撮影した画像は、拡大することで、細かな書き込みであっても鮮明に視認できる。
【００２０】
ユーティリティ・プログラムを起動した後、ユーザーは、スマートフォンのカメラが、Ａ２版の全体を捉えたタイミングでシャッターを切る。その後、ユーティリティ・プログラムは、撮影された画像を解析して、各月の位置を検出する。例えば、図２および図３に示したような点線や破線の領域を特定する。実際の製品では、これらの点線や破線は印刷されていないので、帯状の空白領域（折り線の位置）を特定することになる。
【００２１】
そして、画像を各月毎に８等分して、８個のデータ（ファイル）として保存する。その際、予め携帯型カレンダーの西暦や月を文字認識しておき、どのファイルがどの月に対応するかを決めておく。そして、例えば、２０１９年１月のファイルであれば、201901.jpgといったファイル名により区別して保存する。前年の１２月分は201812P.jpg、次の年の１月は202001N.jpg、メモ用スペースは2019MEMOF.jpg、2019MEMOB.jpgといったファイル名で保存する。従って、Ａ２版の状態まで開いて表裏全体を撮影するだけで、一年分の予定やメモ書きを、月別のファイルとして保存することが出来る。
【実施例２】
【００２２】
図６および図７は、本発明の実施例２に係る携帯型カレンダー２の展開図であり、互いに裏表の関係にある。ここでも、点線が山折り、破線が谷折りを示している。実際の製品では、これらの点線や破線は印刷されていない。実施例２の携帯型カレンダー２は、実施例１と同様に、図６および図７に示したような暦の印刷されたＡ２版の上質紙を八つ折りにしたものである。しかし、実施例１の携帯型カレンダー１とは、Ａ２版からの畳み方と、印刷された暦のレイアウトが異なる。
【００２３】
図６および図７に示したように完全に開いた状態から、八つ折りの状態にするには、まず、図６で点線ｄ１を山折りにして、細長い二つ折りの状態とする。すなわち、Ａ２版の上質紙の長手方向に沿って折る。次に、この細長い二つ折りの状態の紙を蛇腹に四つに折って、全体として八つ折りの状態にする。すなわち、点線ｄ２、ｄ３、ｄ４を山折りにし、同時に破線ｂ１、ｂ２、ｂ３を谷折りにする。
【００２４】
また、実施例１とは異なり、暦の日付を区切る枠線はなく、一月のレイアウトは縦長となっている。そして、展開して、Ａ２版を横向きとなった状態で、半年分の暦を一覧できる。
【００２５】
この実施例の携帯型カレンダー２でも、実施例１のようなユーティリティ・プログラムを利用できる。このユーティリティ・プログラムでは、撮影された画像の向きを検出して、実施例１の携帯型カレンダー１であるか実施例２の携帯型カレンダー２であるかを判定し、正しい向きで一年分の予定やメモ書きを、月別のファイルとして保存することが出来る。
【実施例３】
【００２６】
図８および図９は、本発明の実施例３に係る携帯型カレンダー３の展開図であり、互いに裏表の関係にある。ここでも、点線が山折り、破線が谷折りを示している。実際の製品では、これらの点線や破線は印刷されていない。実施例３の携帯型カレンダー３は、実施例１とほぼ同一であるが、図１に示されている状態から、点線ｄ５、破線ｂ４により、更に２つ折りされており、全体として１６折りとなっているという点でのみ異なる。
【００２７】
この実施例３では、図１０に示したように、一月を見開きに一覧する。従って、折り畳んだ状態の大きさが抑えられ、よりコンパクトで携帯性に優れる。または、用いる上質紙をＡ２版ではなくＢ２版やＡ１版とすれば、一月の暦の面積が増えて書き込みスペースが増加する。Ａ１版の場合、折り畳まれた状態では、Ａ５版の大きさとなる。
【実施例４】
【００２８】
図１１および図１２は、本発明の実施例４に係る携帯型カレンダー４の展開図であり、互いに裏表の関係にある。ここでも、点線が山折り、破線が谷折りを示している。実際の製品では、これらの点線や破線は印刷されていない。実施例４の携帯型カレンダー３は、各月の左上に長方形のアイコンが印刷されているという点で、上記実施例と異なる。このアイコンは２行４列の８領域に区画されている。
【００２９】
本発明の実施例４で用いるアイコンでは、図１１において、展開図（例えば、Ａ２版上質紙の全体）における各月の位置を、アイコンに含まれる高濃度領域で表現している。すなわち、展開図の全体に対する当該月の位置を、アイコン全体に対する高濃度領域の位置に対応させている。例えば、３月は、展開図の全体の右上に位置している。従って、３月の左上に印刷された矩形アイコンの、右上の一領域が黒く塗りつぶされている。また、この実施例では、塗りつぶされている矩形アイコンの一領域に、当該月の数字（例えば、１）が白抜きで記載されている。ただし、左下のメモ用のスペースの左上に印刷されているアイコンには、数字は記載されていない。
【００３０】
一方、図１２においては、展開図（例えば、Ａ２版上質紙の全体）における各月の位置は、アイコンに含まれる低濃度領域で表現している。すなわち、展開図の全体に対する当該月の位置を、アイコン全体に対する低濃度領域の位置に対応させている。例えば、７月は、展開図の全体の左上に位置している。従って、７月の左上に印刷された矩形アイコンの、左上の一領域以外が塗りつぶされている。また、この実施例では、塗りつぶされていない矩形アイコンの白い一領域に、当該月の数字（例えば、７）が記載されている。ただし、右上のメモ用のスペースの左上に印刷されているアイコンには、数字は記載されていない。
【００３１】
やはり、図１１および図１２に示したような山折り、谷折りの折り線は初期状態の畳み方に対応しており、使用するにあたっては、適時、どのような折り方をしても構わない。自由に折って、必要な月々が表にくるようにして使用する。従って、複数の月の暦を一覧できるし、月を跨るような書き込みも可能である。折りたたんで表側に位置する月が、展開図の全体でどの位置にあるかは、左上のアイコンにより知ることが出来る。
【実施例５】
【００３２】
図１３および図１４は、本発明の実施例５に係る携帯型カレンダー５の展開図であり、互いに裏表の関係にある。ここでも、点線が山折り、破線が谷折りを示している。実際の製品では、これらの点線や破線は印刷されていない。実施例５の携帯型カレンダーも、各月の左上にアイコンが印刷されているという点で、実施例１と異なる。
【００３３】
この実施例で用いるアイコンは、８個の丸印からなっている。そして、展開図（例えば、Ａ２版上質紙の全体）における各月の位置を、図１３において、アイコンに含まれる高濃度の丸印で表現している。すなわち、展開図の全体に対する当該月の位置を、アイコン全体に対する高濃度丸印の位置に対応させている。例えば、１月は、展開図の全体の右上に位置している。従って、１月の左上に印刷された矩形アイコンの、右上の丸印は高濃度（黒丸）となっている。他の丸印は低濃度（白丸）となっている。
【００３４】
一方、図１４においては、展開図（例えば、Ａ２版上質紙の全体）における各月の位置は、アイコンに含まれる低濃度の丸印で表現している。すなわち、展開図の全体に対する当該月の位置を、アイコン全体に対する低濃度丸印の位置に対応させている。例えば、７月は、展開図の全体の左上に位置している。従って、７月の左上に印刷された矩形アイコンの、左上の丸印は低濃度（白丸）となっている。他の丸印は高濃度（黒丸）となっている。
【産業上の利用可能性】
【００３５】
以上のように、本発明による携帯型カレンダーによれば、コンパクトで携帯性に優れると共に、自由に複数の月に跨って眺めたり書き込んだりすることが容易となっており、スケジュール管理などに有用である。
【符号の説明】
【００３６】
１、２、３、４、５    携帯型カレンダー
ｂ１、ｂ２、ｂ３、ｂ４    谷折りを示す破線
ｄ１、ｄ２、ｄ３、ｄ４、ｄ５    山折りを示す点線
【図１】
2020059269.tif 000003
【図２】
2020059269.tif 000004
【図３】
2020059269.tif 000005
【図４】
2020059269.tif 000006
【図５】
2020059269.tif 000007
【図６】
2020059269.tif 000008
【図７】
2020059269.tif 000009
【図８】
2020059269.tif 000010
【図９】
2020059269.tif 000011
【図１０】
2020059269.tif 000012
【図１１】
2020059269.tif 000013
【図１２】
2020059269.tif 000014
【図１３】
2020059269.tif 000015
【図１４】
2020059269.tif 000016